(57)【要約】【課題】頻繁に、購読する新聞を替えたり、或いは新聞の購読を中止することができ、しかも、購読する新聞を配達して貰えるようにすること。【解決手段】端末を用いて第１のネットワークを介してアクセスして来る消費者に、この端末にて、翌日配達希望の新聞を注文させる機能と、翌日配達希望の新聞の注文を、各新聞社ごとに仕訳け、各新聞社それぞれの発注者リストを作成する機能と、各新聞社のコンピュータに、第２のネットワークを介して、それぞれの発注者リストを送信する機能とを有することを特徴とする新聞配達受注サーバ。【選択図】なし【特許請求の範囲】
【請求項１】
端末を用いて第１のネットワークを介してアクセスして来る消費者に、この端末にて、翌日配達希望の新聞を注文させる機能と、
翌日配達希望の新聞の注文を、各新聞社ごとに仕訳け、各新聞社それぞれの発注者リストを作成する機能と、
各新聞社のコンピュータに、第２のネットワークを介して、それぞれの発注者リストを送信する機能とを有することを特徴とする新聞配達受注サーバ。
【請求項２】
サーバが実行する方法であって、
端末を用いて第１のネットワークを介してアクセスして来る消費者に、この端末にて、翌日配達希望の新聞を注文させる工程と、
翌日配達希望の新聞の注文を、各新聞社ごとに仕訳け、各新聞社それぞれの発注者リストを作成する工程と、
各新聞社のコンピュータに、第２のネットワークを介して、それぞれの発注者リストを送信する工程とを含むことを特徴とする新聞配達受注方法。
【請求項３】
端末を用いて第１のネットワークを介してアクセスして来る消費者に、この端末にて、翌日配達希望の新聞を注文させる手順と、
翌日配達希望の新聞の注文を、各新聞社ごとに仕訳け、各新聞社それぞれの発注者リストを作成する手順と、
各新聞社のコンピュータに、第２のネットワークを介して、それぞれの発注者リストを送信する手順とをサーバに実行させることを特徴とする新聞配達受注プログラム。
【発明の詳細な説明】
【０００１】
【発明の属する技術分野】
本発明は、新聞配達受注サーバ、方法及びプログラムに関する。
【０００２】
【従来の技術】
一般に、家庭で新聞を購読する場合、この新聞を発行している新聞社と新聞販売取引契約を結んでおり、この家庭を配達エリアとする新聞販売店との間で、この新聞の購読契約をして、配達して貰う。購読契約の期間は、月単位が原則で、３ヶ月、６ヶ月、或いは１年間など限りのあるものや、特に定めることなく電話等で断わらない限り永続するものもある。従って、新聞販売店と購買契約をすれば、少なくとも一ヶ月間は、同じ新聞を取らざるを得ない。
【０００３】
毎朝夕、その時々の都合によって、購読する新聞を替えたり、或いは新聞の購読を中止したければ、コンビニや駅の売店等のスタンド販売を利用すれば良いが、スタンド販売をしている所まで出向く必要があり、希望する新聞が売り切れていることもある。
【０００４】
【発明が解決しようとする課題】
本発明は斯かる現状を鑑みてなされたもので、頻繁に、購読する新聞を替えたり、或いは新聞の購読を中止することができ、しかも、購読する新聞を配達して貰えるようにすることを課題とする。
【０００５】
【課題を解決するための手段】
本発明において上記の課題を達成するために、まず請求項１の発明では、端末を用いて第１のネットワークを介してアクセスして来る消費者に、この端末にて、翌日配達希望の新聞を注文させる機能と、
翌日配達希望の新聞の注文を、各新聞社ごとに仕訳け、各新聞社それぞれの発注者リストを作成する機能と、
各新聞社のコンピュータに、第２のネットワークを介して、それぞれの発注者リストを送信する機能とを有することを特徴とする新聞配達受注サーバとしたものである。
【０００６】
また請求項２の発明では、サーバが実行する方法であって、
端末を用いて第１のネットワークを介してアクセスして来る消費者に、この端末にて、翌日配達希望の新聞を注文させる工程と、
翌日配達希望の新聞の注文を、各新聞社ごとに仕訳け、各新聞社それぞれの発注者リストを作成する工程と、
各新聞社のコンピュータに、第２のネットワークを介して、それぞれの発注者リストを送信する工程とを含むことを特徴とする新聞配達受注方法としたものである。
【０００７】
また請求項３の発明では、端末を用いて第１のネットワークを介してアクセスして来る消費者に、この端末にて、翌日配達希望の新聞を注文させる手順と、
翌日配達希望の新聞の注文を、各新聞社ごとに仕訳け、各新聞社それぞれの発注者リストを作成する手順と、
各新聞社のコンピュータに、第２のネットワークを介して、それぞれの発注者リストを送信する手順とをサーバに実行させることを特徴とする新聞配達受注プログラムとしたものである。
【０００８】
【発明の実施の形態】
以下に、本発明の一実施形態を説明する。
【０００９】
１．構成
本実施形態では、図１に示すように、各消費者は、新聞配達受注サーバの接続しているネットワークＡに接続可能な端末を所持していることを前提とする。
【００１０】
新聞配達受注サーバと、新聞社１〜ｎのコンピュータとは、ネットワークＢに接続されている。ここで、ｎは、１以上の自然数である。
【００１１】
ネットワークＡは、各消費者の所持する端末と、新聞配達受注サーバとの間でデータ通信が可能であれば、その形態及び種類に、特に制限は無く、例えば、インターネットでも良く、また、途中で光通信や無線通信が行なわれるものであっても良い。
【００１２】
ネットワークＢは、新聞社１〜ｎのコンピュータと、新聞配達受注サーバとの間でデータ通信が可能であれば、その形態及び種類に、特に制限は無く、例えば、インターネットや専用回線でも良く、また、途中で光通信や無線通信が行なわれるものであっても良い。
【００１３】
ネットワークＡと、ネットワークＢとは、同じであっても良いし、異なっても良い。
【００１４】
端末は、携帯電話機などのような携帯端末、或いは、パソコンなどのコンピュータであって、ＷＥＢブラウザを搭載している。
【００１５】
新聞配達受注サーバは、以下の（１）〜（３）の機能を有するＷＥＢサーバである。
（１）端末を用いてアクセスして来る消費者に、この端末のＷＥＢブラウザにて、翌日配達希望の新聞を指定させ、消費者の住所及び氏名などを入力させることにより、翌日配達希望の新聞を注文させる機能。
（２）翌日配達希望の新聞の注文を、各新聞社ごとに仕訳け、各新聞社それぞれの発注者リストを作成する機能。
（３）各新聞社のコンピュータに、それぞれの発注者リストを送信する機能。
【００１６】
どの新聞社の発注者リストにも、この新聞社の発行する新聞を翌日配達希望の新聞として注文した消費者について、少なくとも、注文した翌日配達希望の新聞と、住所及び氏名とが記載されている。
【００１７】
各新聞社は、それぞれのコンピュータで、それぞれの発注者リストを受信して、それぞれの発注者リストに記載の各々の消費者に、各々の消費者が翌日配達希望として注文した新聞を、各々の消費者の住所を配達エリアとする新聞販売店から翌日配達されるよう手配する。
【００１８】
２．処理
以下に、翌日配達希望の新聞の注文に関してなされる処理の流れの例を、図２のフローチャートに従って説明する。
【００１９】
ＳＴＥＰ１；
新聞配達受注サーバは、端末を用いてアクセスして来る消費者に、この端末のＷＥＢブラウザにて、翌日配達希望の新聞を指定させ、消費者の住所及び氏名などを入力させることにより、翌日配達希望の新聞を注文させる。
【００２０】
ＳＴＥＰ２；
新聞配達受注サーバは、翌日配達希望の新聞の注文を、各新聞社ごとに仕訳け、各新聞社それぞれの発注者リストを作成する。
どの新聞社の発注者リストにも、この新聞社の発行する新聞を翌日配達希望の新聞として注文した消費者について、少なくとも、注文した翌日配達希望の新聞と、住所及び氏名とが記載されている。
【００２１】
ＳＴＥＰ３；
新聞配達受注サーバは、各新聞社のコンピュータに、それぞれの発注者リストを送信する。
【００２２】
ＳＴＥＰ４；
各新聞社のコンピュータは、それぞれの発注者リストを受信する。
【００２３】
尚、各新聞社は、それぞれの発注者リストに記載の各々の消費者に、各々の消費者が翌日配達希望として注文した新聞を、各々の消費者の住所を配達エリアとする新聞販売店から翌日配達されるよう手配する。
【００２４】
【発明の効果】
本発明は、翌日配達希望の新聞を注文すると、注文した新聞が翌日配達して貰えるという効果がある。
【００２５】
従って、頻繁に、購読する新聞を替えたり、或いは新聞の購読を中止することができ、しかも、購読する新聞を配達して貰えるようにすることが可能であるという効果がある。
【図面の簡単な説明】
【図１】本実施形態に係わるシステムの構成例を示す図。
【図２】翌日配達希望の新聞の注文に関してなされる処理の流れの例を示すフローチャート。
【符号の説明】
Ａ…ネットワーク
Ｂ…ネットワーク
【図１】
2005004308.tif 000002
【図２】
2005004308.tif 000003